(57)【要約】【課題】表示対象の区画を迅速かつ容易に認識可能な表示を行うことができる、表示装置を提供すること。【解決手段】表示装置１０は、複数の区画を表示領域に表示する表示装置１０であって、所定の形状に発光する発光シート１３と、表示領域に発光領域が形成されるように発光シート１３を支持する支持板１４とを備える。発光シート１３は、各区画の形状に対応する形状に形成され、支持板１４は、表示領域における各区画に対応する位置で発光シート１３を支持する。【選択図】図２
2012032497.tif 000002
【特許請求の範囲】
【請求項１】
複数の区画を表示領域に表示する表示装置であって、
所定の形状に発光する面状発光手段と、
前記表示領域に発光領域が形成されるように前記面状発光手段を支持する支持手段と、
を備える表示装置。
【請求項２】
前記面状発光手段は、
前記各区画の形状に対応する形状に形成され、
前記支持手段は、
前記表示領域における前記各区画に対応する位置で前記面状発光手段を支持する、
請求項１に記載の表示装置。
【請求項３】
前記支持手段は、
前記表示領域における前記各区画に対応する位置で、当該各区画の形状に対応する形状となるように組み合わせて配置された複数の前記面状発光手段を支持する、
請求項１に記載の表示装置。
【請求項４】
前記各区画の形状に対応する透過領域を介して前記面状発光手段から発光された光を透過させる透過手段を備え、
前記支持手段は、前記透過手段を着脱自在に支持する、
請求項１に記載の表示装置。
【請求項５】
前記面状発光手段は、発光表示する文字及び／又は図形の形状に形成されている、
請求項１に記載の表示装置。
【請求項６】
前記面状発光手段は、避難経路の形状に形成されている、
請求項１に記載の表示装置。
【発明の詳細な説明】
【技術分野】
【０００１】
本発明は、表示装置に関する。
【背景技術】
【０００２】
従来、防災システムや防犯システム等の監視システムにおいて、火災発生や侵入者の存在を報知するための表示を行う表示装置が用いられている。例えば火災発生を監視する防災システムにおいて、建物内における複数の区画の各々に対応した表示灯を縦横に配列し、任意の区画の火災感知器から火災信号を受信した場合に、その火災感知器が配置されている区画に対応する表示灯を点灯あるいは点滅等させることにより、どの区画で火災が発生したかを特定できるようにした表示装置が用いられている。
【０００３】
また、近年にあっては、縦横に配列された地区表示灯に代えて、複数の区画を図形化した表示シートを表示盤に設けるとともに、この表示シートにおいて各区画に対応する位置の背面側にＬＥＤ（Ｌｉｇｈｔ  Ｅｍｉｔｔｉｎｇ  Ｄｉｏｄｅ）等の点光源を配置した表示装置も提案されている（例えば、特許文献１参照）。この表示装置では、任意の区画に配置された端末機器が動作した場合、その区画に対応する点光源が点灯する。これにより、端末機器が動作した区画を目視により判断できるようにしている。
【先行技術文献】
【特許文献】
【０００４】
【特許文献１】特開２００５−１８９４４２号公報
【発明の概要】
【発明が解決しようとする課題】
【０００５】
しかしながら、特許文献１の如き従来の装置では、点灯するのはスポット的な点光源であったため、例えば多数の区画が存在する場合に何れの区画において端末機器が動作したのか瞬間的に判断することが困難な可能性があった。また、区画の面積や形状に関わらず、全ての区画について同様の点光源が用いられていたため、例えば火災が発生した区画の状況を直感的に判断することが難しい場合があった。
【０００６】
本発明は、上記に鑑みてなされたものであって、表示対象の区画を迅速かつ容易に認識可能な表示を行うことができる、表示装置を提供することを目的とする。
【課題を解決するための手段】
【０００７】
上述した課題を解決し、目的を達成するために、請求項１に記載の表示装置は、複数の区画を表示領域に表示する表示装置であって、所定の形状に発光する面状発光手段と、前記表示領域に発光領域が形成されるように前記面状発光手段を支持する支持手段と、を備える。
【０００８】
また、請求項２に記載の表示装置は、請求項１に記載の表示装置において、前記面状発光手段は、前記各区画の形状に対応する形状に形成され、前記支持手段は、前記表示領域における前記各区画に対応する位置で前記面状発光手段を支持する。
【０００９】
また、請求項３に記載の表示装置は、請求項１に記載の表示装置において、前記支持手段は、前記表示領域における前記各区画に対応する位置で、当該各区画の形状に対応する形状となるように組み合わせて配置された複数の前記面状発光手段を支持する。
【００１０】
また、請求項４に記載の表示装置は、請求項１に記載の表示装置において、前記各区画の形状に対応する透過領域を介して前記面状発光手段から発光された光を透過させる透過手段を備え、前記支持手段は、前記透過手段を着脱自在に支持する。
【００１１】
また、請求項５に記載の表示装置は、請求項１に記載の表示装置において、前記面状発光手段は、発光表示する文字及び／又は図形の形状に形成されている。
【００１２】
また、請求項６に記載の表示装置は、請求項１に記載の表示装置において、前記面状発光手段は、避難経路の形状に形成されている。
【発明の効果】
【００１３】
請求項１に記載の表示装置によれば、所定の形状に形成された面状発光手段と、表示領域に発光領域が形成されるように面状発光手段を支持する支持手段とを備えたので、表示対象の各区画の形状、文字、図形あるいは避難経路等の形状に対応する発光領域で発光させることができ、当該区画等を迅速かつ容易に認識可能な表示を行うことができる。
【００１４】
請求項２に記載の表示装置によれば、面状発光手段は、各区画の形状に対応する形状に形成され、支持手段は、表示領域における各区画に対応する位置で面状発光手段を支持するので、面状発光手段を発光させることで、その面状発光手段に対応する区画の形状に対応する発光領域を発光させることができ、当該区画を迅速かつ容易に認識可能な表示を行うことができる。
【００１５】
請求項３に記載の表示装置によれば、支持手段は、表示領域における各区画に対応する位置で、当該各区画の形状に対応する形状となるように組み合わせて配置された複数の面状発光手段を支持するので、区画が複雑な形状をしている場合であっても、複数の面状発光手段を組み合わせて当該区画の形状に対応する発光領域を形成することができる。従って、例えば区画の形状や配置の変更等が必要な場合でも、面状発光手段の組み合わせを変更することで容易に対応することができる。
【００１６】
請求項４に記載の表示装置によれば、各区画の形状に対応する透過領域を介して面状発光手段から発光された光を透過させる透過手段を備えるので、区画が複雑な形状をしている場合であっても、例えば透過領域以外の領域について黒色塗装や金属蒸着等を行うことで、当該区画の形状に対応する発光領域を容易に形成することができる。また、支持手段は透過手段を着脱自在に支持するので、例えば区画の形状や配置の変更等が必要な場合でも、新たな区画の形状に対応する透過領域を形成した透過手段に交換することで容易に対応することができる。
【００１７】
請求項５に記載の表示装置によれば、面状発光手段は、発光表示する文字及び／又は図形の形状に形成されているので、表示領域中に文字や図形を目立たせて発光させることができ、災害時などの情報を迅速かつ容易に認識可能な表示を行うことができる。
【００１８】
請求項６に記載の表示装置によれば、面状発光手段は、避難経路の形状に形成されているで、表示領域中に避難経路を目立たせて発光させることができ、災害時の避難方向を迅速かつ容易に認識可能な表示を行うことができる。
【図面の簡単な説明】
【００１９】
【図１】実施の形態１に係る表示装置を備える防災受信機を示した概要図である。
【図２】図１に示した表示装置の一部を示した分解斜視図である。
【図３】表示装置の一部を示した側断面図である。
【図４】実施の形態２に係る表示装置の一部を示した分解斜視図である。
【図５】実施の形態３に係る表示装置の一部を示した分解斜視図である。
【発明を実施するための形態】
【００２０】
以下に添付図面を参照して、この発明に係る表示装置の各実施の形態を詳細に説明する。ただし、この各実施の形態によって本発明が限定されるものではない。
【００２１】
〔実施の形態１〕
まず、実施の形態１について説明する。この実施の形態１は、面状発光手段を、各区画の形状に対応する形状に形成した形態である。
【００２２】
（構成）
まず、表示装置の構成について説明する。図１は、実施の形態１に係る表示装置を備える防災受信機を示した概要図である。図１に示すように、防災受信機１は、表示装置１０を備えている。この防災受信機１には、有線又は無線を介して火災感知器等の端末機器（図示省略）から所定の信号が入力される。例えば防災受信機１に接続されている火災感知器が火災の発生を検出した場合、その火災感知器から火災を検出した旨の信号が防災受信機１に入力される。防災受信機１は、入力された情報に基づき、火災が発生した区画を表示装置１０に表示させたり、スピーカ（図示省略）から警報音を出力させる等の各種処理を実行する。
【００２３】
（構成−表示装置）
図２は図１に示した表示装置１０の一部を示した分解斜視図、図３は表示装置１０の一部を示した側断面図である。図２に示すように、表示装置１０は、窓板１１、表示シート１２、発光シート１３、及び支持板１４を備えている。なお、以下の説明では、表示装置１０のうち利用者に目視される側（図２では上側、図３では左側）を前面、利用者に目視されない側（図２では下側、図３では右側）を背面とする。
【００２４】
（構成−表示装置−窓板）
窓板１１は、表示装置１０における最前面に配置される透明な板であり、この窓板１１によって覆われる領域が、表示装置１０において複数の区画を表示するための表示領域となる。この窓板１１としては、例えばアクリル樹脂やガラス等の透明材料を用いた透明板を用いることができる。
【００２５】
（構成−表示装置−表示シート）
表示シート１２は、窓板１１の背面側に配置される。この表示シート１２には、建物の各区画の形状に対応する形状の図形（例えば各区画の形状を相似形状の図形や、各区画の形状を一部簡略化した形状の図形等）１２ａや、建物の階層を示す数字（図示省略）、あるいは区画名や場所名等を示す文字（図示省略）等の各種情報が印刷されている。また、この表示シート１２における建物の各区画に対応する領域は透明もしくは半透明とされ、他の領域は半透明あるいは不透明とされている。この表示シート１２としては、背面からの光を前面に通過可能な部材で、例えば透明もしくは半透明な樹脂フィルムを用いることができる。
【００２６】
（構成−表示装置−発光シート）
発光シート１３は、各区画の形状に対応する形状に形成された面状発光手段であり、表示シート１２の背面側に配置される。この発光シート１３は、例えばＥＬ（Ｅｌｅｃｔｒｏ  Ｌｕｍｉｎｅｓｃｅｎｃｅ）を利用した薄膜発光素子や導光板等の公知の面状発光体を用いて構成される。例えば図２に示すように、各発光シート１３は、区画の形状に対応する形状の図形１２ａとして表示シート１２に印刷されている各図形１２ａと略同一の形状に形成され、対応する図形１２ａと重なるように表示シート１２の背面側に配置される。この発光シート１３は、例えば発光シート１３の発光を制御するための発光制御部（図示省略）にリード線１３ａを介して電気的に接続され、この発光制御部の制御に応じて発光する。区画毎に異なる発光色の発光シート１３を使用してもよい。例えば、最初に火災が発生した区画の発光色と、２番目以降に火災が発生した区画の発光色を変えて識別表示できるようにしても良い。あるいは隣接する区画の発光色を変えることで、隣接する区画が同時に発光しても、区画の境界を一目で認識できるようにしてもよい。または、表示シート１２の各区画に予め色が塗ってある場合は、各発光シート１３は同一色で発光して区画毎に着色されている色を目立たせるようにしても良い。
【００２７】
（構成−表示装置−支持板）
支持板１４は、表示領域に発光領域が形成されるように発光シート１３を支持する支持手段であり、表示シート１２及び発光シート１３を挟んで、窓板１１の背面側に固定される。図３に示すように、この支持板１４の前面側に発光シート１３を貼り付けることで、発光シート１３が支持板１４により支持される。さらに、発光シート１３を支持体に貼り付ける際、磁石や貼り直しが可能な粘着剤等を用いることで、支持板１４によって発光シート１３を着脱自在に支持することができる。支持板１４を窓板１１の背面側に固定した際に各発光シート１３が表示シート１２における対応する図形１２ａと重なるように、発光シート１３を支持板１４に貼り付けることで、表示領域における各区画に対応する位置で発光シート１３が支持され、各区画の形状に対応する発光領域が形成される。なお、図３においては、窓板１１と表示シート１２との間、及び表示シート１２と発光シート１３との間に空間を設けているが、これに限らず、窓板１１、表示シート１２、発光シート１３、及び支持板１４を、相互間に空間を設けることなく順に接触するように配置しても良い。
【００２８】
（作用）
上述のように構成された表示装置１０を備える防災受信機１において、例えば任意の区画に配置されている火災感知器が火災の発生を検出し、その火災感知器から火災を検出した旨の信号が防災受信機１に入力された場合、防災受信機１の発光制御部は、入力された情報に基づき、火災が発生した区画に対応する位置の発光シート１３を発光させる。これにより、火災が発生した区画の形状や位置に対応する領域が発光する。
【００２９】
（効果）
このように実施の形態１によれば、所定の形状に形成された発光シート１３と、各区画の形状に対応する発光領域が形成されるように発光シート１３を着脱自在に支持する支持板１４とを備えたので、表示対象の区画の形状に対応する発光領域を発光させることができ、当該区画を迅速かつ容易に認識可能な表示を行うことができる。
【００３０】
特に、発光シート１３は、各区画の形状に対応する形状に形成され、支持板１４は、表示領域における各区画に対応する位置で発光シート１３を支持するので、発光シート１３を発光させることで、その発光シート１３に対応する区画の形状に対応する発光領域を発光させることができ、当該区画を迅速かつ容易に認識可能な表示を行うことができる。
【００３１】
〔実施の形態２〕
次に、実施の形態２について説明する。この実施の形態２は、各区画の形状に対応する形状となるように組み合わせて配置された複数の面状発光手段を用いる形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００３２】
（構成−表示装置−発光シート）
図４は、実施の形態２に係る表示装置１０の一部を示した分解斜視図である。図４に示すように、本実施の形態２に係る発光シート１３は、全て同一の大きさの長方形状に形成されている。なお、発光シート１３の各辺の長さは任意で、例えば、表示シート１２に印刷された各区画に対応する図形１２ａの各辺の長さの整数分の一を発光シート１３の各辺の長さとする。これにより、発光シート１３を組み合わせて、表示シート１２に印刷された各区画に対応する図形１２ａの形状とすることができる。
【００３３】
（構成−表示装置−支持板）
支持板１４は、表示領域における各区画に対応する位置で、当該各区画の形状に対応する形状となるように組み合わせて配置された複数の発光シート１３を支持する。具体的には、支持板１４を窓板１１の背面側に固定した際に、各発光シート１３を組み合わせた形状が表示シート１２に印刷された各区画に対応する図形１２ａの枠内に収まるように、複数の発光シート１３を組み合わせて配置し、支持板１４に貼り付ける。図４の例では、表示シート１２に示された最左部の区画については４枚の発光シート１３を組み合わせて配置し、右上角部の区画については２枚の発光シート１３を組み合わせて配置し、他の区画については１枚の発光シート１３を配置している。これにより、表示領域における各区画に対応する位置で発光シート１３が支持され、各区画の形状に対応する発光領域が形成される。
【００３４】
（作用）
上述のように構成された表示装置１０を備える防災受信機１において、例えば任意の区画に配置されている火災感知器が火災の発生を検出し、その火災感知器から火災を検出した旨の信号が防災受信機１に入力された場合、防災受信機１の発光制御部は、入力された情報に基づき、火災が発生した区画に対応する位置に配置されている発光シート１３を発光させる。例えば、図４の表示シート１２に示された最左部の区画で火災が発生した場合には、この区画に対応して配置されている４枚の発光シート１３を発光させる。また、右上角部の区画で火災が発生した場合には、この区画に対応して配置されている２枚の発光シート１３を発光させる。これにより、火災が発生した区画の形状や位置に対応する領域が発光する。
【００３５】
（効果）
このように実施の形態２によれば、支持板１４は、表示領域における各区画に対応する位置で、当該各区画の形状に対応する形状となるように組み合わせて配置された複数の発光シート１３を支持するので、区画が複雑な形状をしている場合であっても、複数の発光シート１３を組み合わせて当該区画の形状に対応する発光領域を形成することができる。従って、例えば区画の形状や配置の変更等が必要な場合でも、発光シート１３の組み合わせを変更することで容易に対応することができる。
【００３６】
〔実施の形態３〕
次に、実施の形態３について説明する。この実施の形態３は、各区画の形状に対応する透過領域を介して発光シート１３から発光された光を透過させる透過手段を備えた形態である。なお、実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００３７】
（構成−表示装置−表示シート）
図５は、実施の形態３に係る表示装置１０の一部を示した分解斜視図である。図５に示すように、本実施の形態３に係る表示シート１２は、各区画の形状に対応する透過領域１２ｂを介して発光シート１３から発光された光を透過させる透過手段として用いられる。例えば、ポリエステルフィルムやアクリルフィルム等の透明フィルムを用いて表示シート１２を構成し、各区画の形状に対応する透過領域１２ｂ以外の領域（図５でハッチングされている領域）について、表示シート１２の背面側から黒色塗装を施し、あるいはアルミニウム等の金属を蒸着する。これにより、表示シート１２の背面側に配置された発光シート１３から発光された光を、透過領域１２ｂのみを介して透過させることができる。
【００３８】
（構成−表示装置−発光シート）
本実施の形態３に係る各発光シート１３は、少なくとも対応する透過領域１２ｂを覆うことができる大きさに形成されている。この発光シート１３の形状は任意で、例えば図５に示すように、全て同一の大きさの長方形状に形成されている。
【００３９】
（構成−表示装置−支持板）
図５に示すように、支持板１４は、表示シート１２及び発光シート１３を挟んで、窓板１１の背面側に固定される。この支持板１４と表示シート１２とを、例えば抜き差しが可能な位置決めピン等（図示省略）を介して固定することにより、支持板１４によって表示シート１２を着脱自在に支持することができる。また、支持板１４を窓板１１の背面側に固定した際に、各発光シート１３が表示シート１２の背面側から透過領域１２ｂを覆うように、発光シート１３を支持板１４に貼り付ける。図５の例では、表示シート１２において点線で区切られた長方形の各領域に重なるように、各発光シート１３が配置されている。これにより、透過領域１２ｂを覆う位置で発光シート１３が支持され、各区画の形状に対応する発光領域が形成される。
【００４０】
（作用）
上述のように構成された表示装置１０を備える防災受信機１において、例えば任意の区画に配置されている火災感知器が火災の発生を検出し、その火災感知器から火災を検出した旨の信号が防災受信機１に入力された場合、防災受信機１の発光制御部は、入力された情報に基づき、火災が発生した区画に対応する位置に配置されている発光シート１３を発光させる。例えば、図５の表示シート１２に示された左上側の長方形状の区画で火災が発生した場合には、この区画を示す透過領域１２ｂＡを背面側から覆うように配置されている発光シート１３Ａ’を発光させる。これにより、発光シート１３Ａ’のうち透過領域１２ｂＡと重なる領域から発光された光が、透過領域１２ｂＡを介して表示装置１０の前面側に透過される。すなわち、火災が発生した区画の形状や位置に対応する領域が発光する。
【００４１】
（効果）
このように実施の形態３によれば、各区画の形状に対応する透過領域１２ｂを介して発光シート１３から発光された光を透過させる表示シート１２を備えるので、区画が複雑な形状をしている場合であっても、例えば透過領域１２ｂ以外の領域について黒色塗装や金属蒸着等を行うことで、当該区画の形状に対応する発光領域を容易に形成することができる。また、支持板１４は表示シート１２を着脱自在に支持するので、例えば区画の形状や配置の変更等が必要な場合でも、新たな区画の形状に対応する透過領域１２ｂを形成した表示シート１２に交換することで容易に対応することができる。
【００４２】
〔各実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４４】
（発光シートについて）
上述の各実施の形態では、発光シート１３を各区画の形状に対応する形状に形成し、あるいは長方形状に形成すると説明したが、これに加えて他の形状に形成した発光シート１３を用いてもよい。例えば、炎の形状に形成した発光シート１３を各区画に対応する位置に配置してもよい。この場合、火災が発生した区画に対応する位置の発光シート１３を発光させることで、当該区画に対応する位置から炎の形状で発光が行われるため、当該区画で火災が発生したことを一層容易に表示することができる。
【００４５】
また、各区画を識別するための数字や文字が表示シート１２に印刷されている場合には、これらの数字や文字の背面側に炎の形状に形成した発光シート１３を配置してもよい。この場合、火災が発生した区画に対応する位置の発光シート１３を発光させることで、当該区画を識別するための数字や文字の背後から炎の形状で発光が行われるため、当該区画で火災が発生したことを一層容易に表示することができる。
【００４６】
また、発光シート１３を、各区画を識別するための数字や文字、建物の階層を示す数字、あるいは火災等の異状が発生した旨を示す文字等の形状に形成してもよい。このように形成した発光シート１３を発光させることにより、例えば火災が発生した旨や火災発生位置等に関する情報を文字や数字によって表示することができ、表示対象の区画を一層確実に利用者に認識させることができる。
【００４７】
また、各区画、文字あるいは図形の形状で発光表示するために、発光シート１３の上に発光させたくない部分に不透過性シートを貼り付けることで、区画等の形状を形成しても良い。
【００４８】
また、発光シート１３を、支持板１４側に貼り付ける他に、表示シート１２側に貼り付けた後に表示シート１２と支持板１４で挟んで支持するようにしてもよい。
【００４９】
また、建物内の避難経路に対応する形状に形成した発光シート１３を用いてもよい。例えば、複数の避難経路の形状に対応する形状に発光シート１３を形成し、支持板１４によって、表示領域における各避難経路に対応する位置で各発光シート１３を支持させる。任意の区画に配置されている火災感知器が火災の発生を検出し、その火災感知器から火災を検出した旨の信号が防災受信機１に入力された場合、防災受信機１の発光制御部は、入力された情報に基づき、火災が発生した区画に応じて予め定められている避難経路を選択し、その避難経路に対応する発光シート１３を発光させる。これにより、火災が発生した区画に応じた適切な避難経路を、目視にて把握可能な態様で表示することができる。
【符号の説明】
【００５０】
１  防災受信機
１０  表示装置
１１  窓板
１２  表示シート
１２ａ  図形
１２ｂ  透過領域
１３  発光シート
１３ａ  リード線
１４  支持板
【図１】
2012032497.tif 000003
【図２】
2012032497.tif 000004
【図３】
2012032497.tif 000005
【図４】
2012032497.tif 000006
【図５】
2012032497.tif 000007